(57)【要約】本発明は、目的物（１）を座金（４１）を通じて板状物（３）に固定するシステムであって、該目的物が該座金と結合し、該板状物が、その構造に押し付けて該座金を突き合わせることにより、該目的物を保持する構造（２）を含むシステムに関する。本発明は、該構造（２）が板状物の半球状、円柱状又は円錐状ドーム構造であることを特徴とする。ドーム構造は、座金（４１）を突き合わせる凸表面（２Ａ）又は凹表面を有する。本発明は、又、目的物（１）を、該目的物と結合するように設計された座金（４１）を通じて板状物（３）上に固定する方法であって、該方法が板状物（３）をすえ込みによって変形して半球状、円柱状又は円錐状ドーム構造を与え、該座金（４１）をドーム構造（２）に押し付けて締め付けることによって、該板状物（３）上に該目的物（１）を保持するために、該座金（４１）をドーム構造（２）に対して押し込むことを特徴とする方法に関する。【選択図】図３
2004516433.tif 000002
【特許請求の範囲】
【請求項１】
目的物（１）を、座金（４１、４２）を通じて板状物（３）に固定するシステムであって、該目的物が該座金と結合し、該板状物が該座金をその構造に押し付けて締め付けることによって該目的物を保持する構造（２）を含み、該構造（２）が板状物の円錐状、半球状又は円柱状ドーム構造であることを特徴とするシステム。
【請求項２】
ドーム構造（２）が、座金（４１、４２）を押し付けて締め付ける凸表面（２Ａ）を有することを特徴とする、請求項１記載の固定システム。
【請求項３】
ドーム構造（２）が、座金（４１、４２）を押し付けて締め付ける凹表面（２Ｂ）を有することを特徴とする、請求項１記載の固定システム。
【請求項４】
座金（４）が電気的接触子を有することを特徴とする、請求項１、２又は３記載の固定システム。
【請求項５】
座金（４１）が溝付きであることを特徴とする、請求項１乃至４のいずれかに記載の固定システム。
【請求項６】
目的物（１）を、該目的物と結合する様に設計された座金（４１、４２）を通じて板状物（３）上に固定する方法であって、該板状物（３）がそれに円錐状、半球状又は円柱状ドーム構造（２）を付与する様に変形されており、該座金（４１、４２）をドーム構造（２）に押し付けて締め付けることによって、該板状物（３）上に該目的物（１）を保持するために、該座金（４１、４２）がドーム構造（２）に対して押し込まれることを特徴とする方法。
【請求項７】
該座金（４１、４２）が、該板状物（３）上のドーム構造（２）の凸表面（２Ａ）に対して押し込まれることを特徴とする、請求項６記載の方法。
【請求項８】
該座金（４１、４２）が、該板状物（３）上のドーム構造（２）の凹表面（２Ｂ）に対して押し込まれることを特徴とする、請求項６記載の方法。
【請求項９】
該ドーム構造（２）が、該板状物（３）のすえ込みによって形成されることを特徴とする、請求項６、７又は８記載の方法。
【請求項１０】
溝付き座金（４１）が使用されることを特徴とする、請求項６乃至９のいずれかに記載の方法。
【発明の詳細な説明】
【０００１】
【発明の属する技術分野】
本発明は、板状物に目的物を固定するシステム及び方法に関し、更に詳しくは、目的物を締め座金を通じて板状物に固定するシステム及び方法に関する。
【０００２】
【従来の技術】
締め座金を通じて板状物に管を固定するシステムは、特に米国特許第４，６６７，９１６号公報により公知である。
【０００３】
この開示によれば、座金は、内周に指状突起物を有し、板状物は、溶接によって取り付けられたネジ付き棒材及びそのネジ付き棒材にネジ止めされたナットを有する。座金の内周の指状突起物は、座金がネジ付き棒材に対して押し込まれる時に、ナットに押し付けて曲げることによって変形される。ナットに押し付けて内周の指状突起物を曲げることは、押し込まれ、指状突起物が曲げられた後にナットから座金を引き戻すのに要する努力に比較して、より僅かな努力でそのネジ付き棒材に座金を押し込むことを可能にする。管は、座金がネジ付き棒材に押し込まれ、ナットに押し付けて締め付けられるときに、板状物に対して保持されるように座金に結合されている。
【０００４】
板状物に取り付けられた要素を手段にしたそのような固定システムは、高価であり、生産工程に組み込むのがしばしば困難な実施手段を必要とする。
【０００５】
締め座金そのものは周知であることに留意すべきである。更に、締め座金は、指状突起物を付した座金のみに限らず、上記の公報に記載されているように溝付き座金とも呼ばれることは、当業者に周知の知識の一部である。
【０００６】
溝付き座金の締め付けは、主として指状突起物又はラグ（ｌｕｇｓ）の曲げにより付与される。しかし指状突起物のない座金も又締め付けることができる。このタイプの座金は公知であり、特に欧州特許公開第８１３，０１８号公報に記載されているように、互いに挿入された二つの管の間の結合システムにより公知である。
【０００７】
この開示によれば、外管は、外管に結合した座金を通じて内管を支持し、該座金は、内管の径より小さい径の中央開口部を有し、内管が該中央開口部に押し通されるときに締め付けられる状態になる。
【０００８】
【発明が解決しようとする課題】
本発明の目的は、簡単で経済的な方法により、締め座金を通じて目的物を板状物に固定することを可能にすることにある。
【０００９】
【課題を解決するための手段】
この目的のために、本発明の主題は、目的物を座金を通じて板状物に固定するシステムであって、該目的物が該座金と結合し、該板状物が該座金をその構造に対して締め付けることによって該目的物を保持する構造を含み、該構造が板状物の円錐状、半球状又は円柱状ドーム構造であることを特徴とするシステムである。
【００１０】
円錐状、半球状又は円柱状ドーム構造は、板状物自身に組み込まれた構造を提供し、それによって、付属の構造なしに座金を締め付けることを可能にする。このことは、固定システムを製造する費用の削減という結果をもたらす。板状物自身に組み込まれたドーム構造は、板状物と、流体、騒音、臭気、電磁界に対して不透過性の目的物との間の分離を可能とする。これに対し、穴によって固定するシステムは、板状物と目的物との間の不透過性を確保する他の手段の用意を必要とする。
【００１１】
本発明は、又、目的物を、該目的物と結合するように設計された座金を通じて板状物上に固定する方法であって、該板状物が、それに円錐状、半球状又は円柱状ドーム構造を付与するように変形されており、該座金（４１、４２）をドーム構造（２）に押し付けて締め付けることによって、該板状物（３）上に該目的物（１）を保持するために、該座金（４１、４２）がドーム構造（２）に対して押し込まれることを特徴とする方法にも関する。
【００１２】
本発明の方法は、生産工程に容易に組み込まれる。これに比べて、板状物の穿孔を伴う方法は、除去を必要とする屑や切れ端を生じる。
【００１３】
シート状金属の場合は、変形はすえ込み（ｓｗａｇｉｎｇ）によって付与されるのが好ましい。一般的には、変形の形状寸法は、板状物の機械的性質の関数として計算される。
【００１４】
本発明の他の利点は、図面で示された二つの実施態様の記載を読むことにより明白となるであろう。
【００１５】
【発明の実施の形態】
第１図乃至第５図に例示されたように、目的物を溝付き座金を通じて板状物に固定するシステムは、目的物１、溝付き座金４１及び板状物３を含む。
【００１６】
第６図は、目的物を溝無し座金４２を通じて板状物に固定するシステムを例示する。この図において、第１図乃至第５図に例示された固定システムに共通の要素は、同じ意味を有する。
【００１７】
座金４１、４２と目的物１との結合は、目的物を把持することに供される中間部分９によって与えられる。この場合、座金４１、４２は、この中間部分を支持する役割を有するか、又は中間部分に組み込まれる。溝付き座金４１又は溝無し座金４２も目的物１と結合することができ、後者を直接に支持する役割を有し、又は後者に組み込まれてもよい。固定すべき目的物又は中間部分がプラスチック製であれば、座金４１、４２との結合は、目的物又は座金の周囲の中間部分を、例えば、成形することにより生み出される。座金と固定すべき目的物との間の弾性的把持によって結合を生み出すことも用意される。
【００１８】
座金４１は複数のラグ（ｌｕｇｓ）７を有し、これらは座金４１を構造２に対して押し込む間に、板状物３の該構造２に押し付けて曲げることにより変形される。座金４１の締め付けは、主として複数のラグ（ｌｕｇｓ）を板状物３の構造２に押し付けて曲げることにより付与される。同様に、溝無し座金４２も、この構造２に対して押し込むに従って、板状物３の構造２に押し付けられて締め付けられる。
【００１９】
本発明によれば、構造２は、板状物３の円錐状、半球状又は円柱状ドーム構造である。
【００２０】
第１図乃至第３図に例示された、本発明の第一の実施態様において、座金４１は、板状物３のドーム構造２の凸表面２Ａに押し付けられて締め付けられるために、内周４１Ａに溝が付けられている。溝付き座金４１は、固定すべき目的物１を把持することに供される中間部分９を支持する役割を有する。止め具１３は、ドーム構造２に対する溝付き座金４１の押し込み移動を制限するために、固定すべき目的物１、又は固定すべき目的物を把持することに供される中間部分９に与えられる。
【００２１】
このシステムが正常に実施されていることを示すために、中間部分９又は固定すべき目的物１自体に、視覚的、触感的又は聴覚的指示器１５を具備させることも用意される。図１乃至図３の実施例において、該指示器は双安定キャップ（ｂｉｓｔａｂｌｅ  ｃａｐ）である。
【００２２】
第４図及び第５図に例示された、本発明の第二の実施態様において、座金４１は、板状物３のドーム構造２の凹表面２Ｂに押し付けられて締め付けられるために、外周４１Ｂに溝が付けられている。
【００２３】
円錐状又は半球状ドーム構造の場合には、複数のラグ（ｌｕｇｓ）７を曲げることによる座金４１の締め付けは、座金４１がドーム構造の凸表面２Ａ又は凹表面２Ｂに押し付けられて押し込まれるに従って増大する。
【００２４】
第６図は、板状物３のドーム構造２の凸表面２Ａに押し付けられて締め付けられる溝無し座金４２を示す。溝無し座金は、又、板状物３のドーム構造２の凹表面２Ｂにも押し付けられて締め付けられ得る。
【００２５】
導電性の締め座金の使用は、アース又は電位の中間取出口（ｅｌｅｃｔｒｉｃ  ｐｏｔｅｎｔｉａｌ  ｔａｐｐｉｎｇ）を設けることを目的として、ドーム構造の凸表面又は凹表面に電気的接触をもたらすことを可能にする。この場合、締め座金は電気的接触子を含む。
【００２６】
金属のドーム構造の場合には、好ましくは締め座金の耐食性被覆、特にドーム構造の凹表面または凸表面の電位よりも低い動電気電位（ｇａｌｖａｎｉｃ  ｐｏｔｅｎｔｉａｌ）での耐食性被覆が提供される。この被覆は、陽極被覆又は電気防食用被覆と呼ばれる。この電気防食用被覆の領域において、不動態層を形成する酸化物、特にアルミニウム又は亜鉛系の酸化物が用意される。
【００２７】
目的物１を、目的物１に結合した溝付き座金４１又は溝無し座金４２を通じて板状物３に固定するためには、好ましくは、板状物３は変形されて、円錐状、半球状又は円柱状ドーム構造２が付与される。そして溝付き座金４１又は溝無し座金４２は、ドーム構造２に対して押し込まれ、ドーム構造２に押し付けられて溝付き座金４１又は溝無し座金４２を締め付けることによって目的物１を板状物上に保持する。
【００２８】
シート状金属上に固定する場合には、遵守すべき計算のパラメーター類及び規則は、シート状金属の最大伸度、最小曲率半径及び最小逃げ角である。例えば、第７図に示される様に、シート状金属は次のパラメーターを遵守しながらすえ込み（ｓｗａｇｉｎｇ）によって変形される：シート状金属の最大伸度「Ａ」：１．３以下、最小極率半径「Ｒ」：３ｍｍ以上、及び最小すえ込み逃げ角「α」：３°以上、及び接着限界における最大逃げ角「θ」：２５°以下。ドーム構造の頂点の直径Ｘとドーム構造の底部の直径Ｙとの差を最大にするためには、逃げ角Ωがαとθとの間にあり接着限界の逃げ角θにできるだけ近い値が選択される。この直径の差が、ドーム構造及び締め座金の許容間隔を決定する。角θの値は、所望の押し込み及び引き抜き力を得るように選択される。
【図面の簡単な説明】
【図１】第１図は、板状物が円錐状ドーム構造を含み、座金が溝付きである、本発明の固定システムの分解図である。
【図２】第２図は、円錐状ドーム構造の凸表面に対して溝付き座金を押し込む最初の段階を示す、第１図に例示された固定システムの断面図である。
【図３】第３図は、円錐状ドーム構造の凸表面に対して溝付き座金を押し込む最後の段階を示す、第１図に例示された固定システムの断面図である。
【図４】第４図は、板状物が円錐状ドーム構造を含み、座金が溝付きでありこのドーム構造の凹表面に押し付られて締め付けられる、本発明の固定システムの透視図である。
【図５】第５図は、第４図に例示された固定システムの断面図である。
【図６】第６図は、板状物が円錐状ドーム構造を含み、座金が溝無し（ｐｌａｎｅ）であり、このドーム構造の凸表面に押し付けられて締め付けられる、本発明の固定システムの部分断面図である。
【図７】第７図は、板状物のすえ込みによって得られた、第１図乃至第６図に例示された円錐状ドーム構造の断面図である。
【図１】
2004516433.tif 000003
【図２】
2004516433.tif 000004
【図３】
2004516433.tif 000005
【図４】
2004516433.tif 000006
【図５】
2004516433.tif 000007
【図６】
2004516433.tif 000008
【図７】
2004516433.tif 000009
【国際公開パンフレット】
2004516433.tif 000010
2004516433.tif 000011
2004516433.tif 000012
2004516433.tif 000013
2004516433.tif 000014
2004516433.tif 000015
2004516433.tif 000016
2004516433.tif 000017
2004516433.tif 000018
2004516433.tif 000019
2004516433.tif 000020
【国際調査報告】
2004516433.tif 000021
2004516433.tif 000022
2004516433.tif 000023
2004516433.tif 000024